(57)【要約】【課題】使用状態のボルト及びナットの保護手段を後付け出来ない。【解決手段】ボルト頭Ba又はナットＮと被固定部材Ａ側間に設ける、ボルトＢが貫通する介在部材３と、ボルト頭Ba又はナットＮを収容すると共に、上記介在部材３が遊挿しボルト頭Ba又はナットＮが強制通過可能な挿通孔２を形成した有底筒状の外包筒１と、該外包筒１を回動可能のまま外包筒１の開口部を塞ぐ閉鎖蓋４とにより構成し、緊締後のボルト頭Ba又はナットＮを、外包筒１の挿通孔２を強制通過させることで外包筒１内に収容可能にし、而も外包筒１及び閉鎖蓋４によりボルト頭Ba又はナットＮが完全包囲されるため、ボルト頭Ba又はナットＮを緩めることが出来ない。又、閉鎖蓋４で外包筒１の底面を被固定部材Ａ側に接触させれば、外包筒１と被固定部材Ａ側の間の隙間が拡がらず、バール等の工具が入り込まないため、外包筒１の強制撤去が防止出来、ボルトＢ及びナットＮの抜脱を完全に阻止出来る。【選択図】図８
2005054993.tif 000002
【特許請求の範囲】
【請求項１】
緊締状態におけるボルトのボルト頭又はナットと被固定部材側間に設ける、ボルトのネ
ジ部を貫通させる介在部材と、ボルト頭又はナットを収容すると共に、上記介在部材が遊
挿しボルト頭又はナットを強制通過可能に形成した挿通孔を底板部に形成した有底筒状の
外包筒と、外包筒を回動可能のまま該外包筒の開口部を塞ぐ閉鎖蓋とにより構成し、外包
筒の内周面と閉鎖蓋の外周面を近接又は密接させる様にしたことを特徴とするボルト、ナ
ットの抜脱防止具。
【請求項２】
閉鎖蓋を、ボルト頭又はナットが内接する外嵌筒体と、該外嵌筒体の他端側を閉口する
蓋体とで構成し、外嵌筒体の一端を外包筒の底板部に当接させて、外包筒の底面を被固定
部材側に接触させる様にしたことを特徴とする請求項１記載のボルト、ナットの抜脱防止
具。
【請求項３】
閉鎖蓋の外嵌筒体及び蓋体を別体とし、外嵌筒体の他端部に蓋体を被冠すると共に、蓋
体の外周面と外包筒の内周面を近接又は密接させる様にしたことを特徴とする請求項２記
載のボルト、ナットの抜脱防止具。
【請求項４】
外嵌筒体に対し蓋体を回動可能に被冠すると共に、蓋体の外周面を外包筒の内周面に密
接一体化する様にしたことを特徴とする請求項３記載のボルト、ナットの抜脱防止具。
【請求項５】
蓋体にボルト端部の挿通孔を形成したことを特徴とする請求項２、３又は４記載のボル
ト、ナットの抜脱防止具。
【請求項６】
蓋体の中央にネジ孔を設けたことを特徴とする請求項３又は４記載のボルト、ナットの
抜脱防止具。
【請求項７】
閉鎖蓋を、外包筒の内周面と近接又は密接させる蓋上方部位と、ボルト頭又はナットを
収容する蓋下方部位とにより構成し、該蓋下方部位におけるボルト頭又はナットの収容部
内に圧縮バネを収容すると共に、蓋下方部位の下部に下方開口部内方への係止突片を形成
し、他方ボルト頭又はナットの側面に係止突片の通過溝及び係止溝を形成すると共に該通
過溝及び係止溝間に連結溝を形成したことを特徴とする請求項１記載のボルト、ナットの
抜脱防止具。
【請求項８】
蓋上方部位を、外ケース部と該外ケース部内の回転部とにより構成し、外ケース部をボ
ルト頭又はナット側に固定すると共に、蓋下方部位を回転部に固定したことを特徴とする
請求項７記載のボルト、ナットの抜脱防止具。
【請求項９】
請求項１乃至請求項８記載の外包筒の開口側部位に被冠するキャップ体を有することを
特徴とするボルト、ナットの抜脱防止具。
【請求項１０】
緊締状態におけるボルトのボルト頭又はナットと被固定部材側間に、ボルトのネジ部が
貫通する介在部材を設け、ボルト頭又はナットを収容する有底筒状の外包筒における底板
部に形成した挿通孔に上記介在部材を遊挿状態とし、他端側が閉口状態の閉鎖蓋をボルト
頭又はナットに外嵌固定したことを特徴とするボルト、ナットの抜脱防止構造。
【請求項１１】
請求項２乃至請求項６記載の抜脱防止具を使用したボルト、ナットの抜脱防止構造であ
って、緊締状態におけるボルトのボルト頭又はナットと被固定部材側間に、ボルトのネジ
部が貫通する介在部材を設け、ボルト頭又はナットを収容する有底筒状の外包筒における
底板部に形成した挿通孔に上記介在部材を遊挿状態とし、他端側が閉口状態の閉鎖蓋をボ
ルト頭又はナットに外嵌固定し、閉鎖蓋の一端が外包筒の底板部に当接状態で、外包筒の
底面が被固定部材側に接触状態であることを特徴とするボルト、ナットの抜脱防止構造。
【請求項１２】
請求項７乃至請求項８記載の抜脱防止具を使用したボルト、ナットの抜脱防止構造であ
って、緊締状態におけるボルトのボルト頭又はナットと被固定部材側間に、ボルトのネジ
部が貫通する介在部材を設け、ボルト頭又はナットを収容する有底筒状の外包筒における
底板部に形成した挿通孔に上記介在部材を遊挿状態とし、閉鎖蓋における蓋下方部位にお
ける収容部内にボルト頭又はナットを収容すると共に、該ボルト頭又はナットと蓋下方部
位間の圧縮バネを圧縮状態とし、閉鎖蓋の係止突片とボルト頭又はナットの係止溝を係合
状態としたことを特徴とするボルト、ナットの抜脱防止構造。
【発明の詳細な説明】
【技術分野】
【０００１】
本発明は、特に送電線の鉄塔、鉄道の線路、遊園地施設等に使用されている外部露出
状態で外し易いボルト及びナットを保護する様にした抜脱防止具及びそれを使用した抜脱
防止構造に関する。
【背景技術】
【０００２】
従来、送電線の鉄塔にあっては、軽量鉄骨材をボルト及びナットにより連結、固定する
トラス構造であり、鉄塔の脚部下部に、基礎から突出したアンカーボルトを貫通させると
共に、その突端部にナットを螺嵌して、基礎上に鉄塔を立設している。
又、鉄道の線路にあっては、レールを枕木に固定する際に、枕木側に形成されたボルト
孔にボルトを螺入する様にしている。
しかし、上記ボルト及びナットは外部露出状態で、工具さえあれば簡単に抜脱可能であ
り、これが最近発生した鉄塔倒壊事件や線路のボルト抜取り事件等の犯罪を悪意の第三者
に実行させた最大の原因であった。
【０００３】
そこで、用途は異なるが、ボルト抜取り事件の防止対策として応用出来るものとして、
ボルト頭又はナットを各種ケースで覆って、ボルト頭又はナットを外せない様に保護する
ものが見受けられる。（例えば、特許文献１、２、３参照）。
【０００４】
【特許文献１】実開昭５６−６５１６９号公報
【特許文献２】実開昭５７−６１１７６号公報
【特許文献３】実開昭６０−１３１７１８号公報
【発明の開示】
【発明が解決しようとする課題】
【０００５】
しかし、上記従来技術にあっては、ボルト頭又はナットを緊締した後に取り付ける、所
謂後付けが出来ないなど、解決せねばならない課題があった。
【課題を解決するための手段】
【０００６】
本発明は、上記従来技術に基づく、後付け出来ない課題に鑑み、緊締状態におけるボル
トのボルト頭又はナットと被固定部材側間に設ける、ボルトのネジ部を貫通させる介在部
材と、ボルト頭又はナットを収容すると共に、上記介在部材が遊挿しボルト頭又はナット
を強制通過可能に形成した挿通孔を底板部に形成した有底筒状の外包筒と、外包筒を回動
可能のまま該外包筒の開口部を塞ぐ閉鎖蓋とにより構成し、外包筒の内周面と閉鎖蓋の外
周面を近接又は密接させる様にした抜脱防止具を取り付けることによって、緊締後のボル
ト頭又はナットを外包筒の挿通孔を通過させて該外包筒内に収容可能にして、上記課題を
解決する。
而も、外包筒をボルト頭又はナットに対し回動可能とすると共に、外包筒と被固定部材
側を接触状態とし、且つ閉鎖蓋で外包筒を被固定部材側へ押さえつける様な構造にすれば
、外包筒と被固定部材側の間の隙間が拡がらず、バール等の工具が入り込まないため、外
包筒の強制撤去を防止することが可能になる。
【発明の効果】
【０００７】
要するに本発明は、緊締状態におけるボルトのボルト頭又はナットと被固定部材側間に
設ける、ボルトのネジ部を貫通させる介在部材を有するので、介在部材を被固定部材とボ
ルト頭又はナット間に設置することで、該ボルト頭又はナットにより介在部材を被固定部
材側に押圧して、該被固定部材を固定することが出来、而もボルト頭又はナットを緊締後
に外包筒内にボルト頭又はナットを収容することが出来る、即ち外包筒を後付けすること
が出来るため、ボルト頭又はナットの緊締作業の容易化を図ることが出来る。
又、ボルト頭又はナットを収容すると共に、上記介在部材が遊挿しボルト頭又はナット
を強制通過可能に形成した挿通孔を底板部に形成した有底筒状の外包筒を有するので、ボ
ルト頭又はナットは外包筒内に収容されていることから工具等で外すことが出来ず、而も
介在部材が挿通孔に遊挿状態となることから、外包筒をボルト頭又はナットに対し回動自
在になるため、外包筒を外側から回してもボルト頭又はナットは緩まないため、それらの
緊締状態を維持させることが出来る。
又、外包筒を回動可能のまま該外包筒の開口部を塞ぐ閉鎖蓋を有するので、ボルト頭又
はナットが外包筒及び閉鎖蓋により完全包囲されるため、それらを取り外さない限りボル
ト頭又はナットが緩まない様にすることが出来る。
【０００８】
外包筒を回動させてもそれに追従して閉鎖蓋が回動しないことから、閉鎖蓋の撤去しな
い限りボルト頭又はナットを緩めることができないが、閉鎖蓋を、ボルト頭又はナットが
内接する外嵌筒体と、該外嵌筒体の他端側を閉口する蓋体とで構成したので、閉鎖蓋をボ
ルト頭又はナットに固定して該ボルト頭又はナットを完全包囲しているため、閉鎖蓋の強
制撤去を困難化することが出来る。
又、外嵌筒体の一端を外包筒の底板部に当接させて、外包筒の底面を被固定部材側に接
触させる様にしたので、閉鎖蓋により外包筒が被固定部材側に押さえられていることから
、外包筒と被固定部材の間が拡がらず、バール等の工具が入らないことと、外包筒と閉鎖
蓋の間も隙間が無く工具等を差し込むことは出来ないことから、外包筒及び閉鎖蓋を強制
撤去出来ないため、悪意の第三者による犯罪実行を確実に防止することが出来る。
【０００９】
ボルト頭又はナットが大きい場合、外嵌筒体及び蓋体が一体であると、組付け時におけ
る外嵌筒体の変形が蓋体により若干阻害されることも考えられることから、閉鎖蓋の外嵌
筒体及び蓋体を別体とし、外嵌筒体の他端部に蓋体を被冠すると共に、蓋体の外周面と外
包筒の内周面を近接又は密接させる様にしたので、外嵌筒体をボルト頭又はナットへ容易
に外嵌固定させることが出来る。
而も、外嵌筒体に対し蓋体を回動可能に被冠すると共に、蓋体の外周面を外包筒の内周
面に密接一体化する様にしたので、外包筒と蓋体の間の隙間が完全に無くなると共に、外
包筒の回動性も阻害されないため、より撤去が困難な抜脱防止具を提供出来る。
【００１０】
ナットからボルトの端部が突出状態であるが、蓋体にボルトの端部の挿通孔を形成した
ので、ボルトの端部の突出量とは無関係に閉鎖蓋を組み付けることが出来る。
【００１１】
蓋体の中央にネジ孔を設けたので、ネジ孔を特殊なピッチにしたり、多条ネジとし、そ
れに対応するネジ工具を準備し、該ネジ工具をネジ孔に回転させることで、該ネジ工具の
先端がボルト頭又はナット側に当接しそのまま回転させることで、閉鎖蓋が持ち上げられ
て外包筒から外れるため、閉鎖蓋の取外し作業の簡易化を図ることが出来る。
【００１２】
閉鎖蓋を、外包筒の内周面と近接又は密接させる蓋上方部位と、ボルト頭又はナットを
収容する蓋下方部位とにより構成し、該蓋下方部位におけるボルト頭又はナットの収容部
内に圧縮バネを収容すると共に、蓋下方部位の下部に下方開口部内方への係止突片を形成
し、他方ボルト頭又はナットの側面に係止突片の通過溝及び係止溝を形成すると共に該通
過溝及び係止溝間に連結溝を形成したので、閉鎖蓋を、該閉鎖蓋の蓋下方部位における係
止突片が外包筒内のナットにおける通過溝、連結溝を通過して係止溝に至る様に、押し込
み回転させた後に閉鎖蓋への押圧力を解除すれば、閉鎖蓋の蓋下方部位における収容部内
にボルト頭又はナットを収容状態として閉鎖蓋をボルト頭又はナットに固定すると共に、
蓋上方部位で外包筒の開口部を閉鎖出来るため、閉鎖蓋の装着作業の簡易化を図ることが
出来る。
又、蓋上方部位の上面に特殊な凹凸を形成すると共に該凹凸形状に合致する工具を準備
すれば、該工具により操作することが出来るため、閉鎖蓋の装着作業を更に簡易化するこ
とが出来る。
更に、蓋上方部位を、外ケース部と該外ケース部内の回転部とにより構成し、外ケース
部をボルト頭又はナット側に固定すると共に、蓋下方部位を回転部に固定したので、例え
ば蓋上方部位における外ケース部をキーケース、回転部をキー本体とすれば、該回転部の
上面のキー孔に鍵を差し込んで操作することが出来るため、閉鎖蓋の装着作業を更に簡易
化することが出来る。
【００１３】
外包筒の開口側部位に被冠するキャップ体を有するので、外包筒及び閉鎖蓋間の隙間か
らの砂、埃などの異物侵入を防止することが出来る等その実用的効果甚だ大である。
【発明を実施するための最良の形態】
【００１４】
以下本発明の実施の形態を図面に基づいて説明する。
本発明に係るボルトＢ、ナットＮの抜脱防止具における有底円筒状の外包筒１内にボル
トＢのボルト頭Ba又はナットＮを収容し、該外包筒１は金属製、特にステンレス製とし、
ボルト頭Ba又はナットＮを強制通過可能とした六角形状の挿通孔２を形成した底板部1aの
外周部に、ボルト頭Ba又はナットＮを囲う側壁板1bが一体形成されている。
又、上記挿通孔２に対し遊挿状態である介在部材３をボルトＢのボルト頭Ba又はナット
Ｎと被固定部材Ａ間に設け、かかる介在部材３は、ワッシャ、バネワッシャの様な、ボル
トＢのネジ部Bbが挿通する中央孔3aを設けたもので、その厚みを上記底板部1aより厚くす
ることで、ボルト頭Ba又はナットＮに対し外包筒１が回動可能となる様にしている。
外包筒１内に収容状態のボルト頭Ba又はナットＮに、外包筒１の閉鎖蓋４を外嵌固定し
、該閉鎖蓋４は円筒状の外嵌筒体4aの他端部を閉口する蓋体５により構成し、外嵌筒体4a
の内周面にボルト頭Ba又はナットＮを内接させることで、該ボルト頭Ba又はナットＮに対
し閉鎖蓋４を固定している。又、閉鎖蓋４は金属製、特にステンレス製としている。
尚、上記挿通孔２の形状及び大きさは、ボルト頭Ba又はナットＮが強制通過可能な大き
さの六角形に形成するのが望ましいが、要するにボルト頭Ba又はナットＮが強制通過可能
で、介在部材３が遊挿状態となってボルト頭Ba又はナットＮに対し外包筒１が回動可能と
なる様に形成されていれば良い。
【実施例１】
【００１５】
図４〜７に示す様に、第１実施例の閉鎖蓋４における蓋体５は、外嵌筒体4aの他端部に
被冠可能な様に、円形状の蓋板本体5aの外周部に、外嵌筒体4aの外側に位置する周壁部5b
を一体形成したもので、該周壁部5bの内周面に、外嵌筒体4aの他端側の外面に設けた突部
６、6a…の収容溝７を周設して、外嵌筒体4aに対し蓋体５を回動可能としている。又、蓋
板本体5aの中央部に、ボルトＢの端部の貫通孔８を形成している。
そして、図８〜１０に示す様に、外包筒１の内周面及び蓋体５の周壁部5bの外周面を密
接一体化する様に外包筒１及び蓋体５を形成して、ボルト頭Ba又はナットＮに対し外包筒
１及び蓋体５が回動する様に成っており、而も閉鎖蓋４における被固定部材Ａ側の一端面
を外包筒１の底板部1aに当接させて、外包筒１の底面を被固定部材Ａ側に接触させ様に成
っている。
【実施例２】
【００１６】
図１０に示す様に、第２実施例は、外包筒１、介在部材３及び閉鎖蓋４における蓋体５
は同構成であるが、閉鎖蓋４における外嵌筒体4aが若干異なり、全体的に薄厚状に形成す
ると共に中間部より他端側を拡径した段付き筒状に形成し、小径側をボルト頭Ba又はナッ
トＮに外嵌すると共に、大径側の外周部に収容溝７を形成している。
【００１７】
尚、図示しないが、外嵌筒体4aに対し蓋体５を回動しない様に被冠一体化したり、外嵌
筒体4a及び蓋体５が一体形成されたものであっても良く、これらの場合、外包筒１と閉鎖
蓋４が一体化しない様に、即ち蓋体５の外周面又は外嵌筒体4aの外周面の他端側部位と外
包筒１の外周面を近接させる様に形成している。
【００１８】
次に、第１、２実施例の抜脱防止具１の取付け方法について説明する。
（１）被固定部材Ａを貫通させたボルトＢのネジ部Bbに介在部材３を、該介在部材３にお
ける中央孔3a内にネジ部Bbを挿通させて取り付けた後、ネジ部BbにナットＮを螺嵌、緊締
する（図１１（ａ）参照）。
（２）外包筒１の挿通孔２をナットＮに合わせて外包筒１を押し込み、必要であれば外包
筒１をハンマー等により叩打して、ナットＮを、挿通孔２を通過させて外包筒１内に収容
させる（図１１（ｂ）参照）。
（３）ナットＮに開口部を合わせた閉鎖蓋４をハンマー等により叩打して、ナットＮを閉
鎖蓋４内に収容しナットＮを閉鎖蓋４の内周面に内接させると共に、閉鎖蓋４の端面を外
包筒１の底板部1aに当接させて、ナットＮに対し閉鎖蓋４を固定する（図１１（ｃ）参照
）。
【００１９】
尚、上記（２）〜（３）工程においては、外嵌筒体4a及び蓋体５を一体化した閉鎖蓋４
を組み付けているが、外嵌筒体4aだけを組み付けた後に蓋体５を組み付ける様にしても良
い。
又、図示しないが、ボルト頭Baに取り付ける場合にあっては、上記工程と略同じである
が、ボルトＢのネジ部Bbに介在部材３を、該介在部材３における中央孔3a内にネジ部Bbを
挿通させて取り付けた後に、ネジ部Bbを、被固定部材Ａを貫通させて緊締する様にし、後
は上記工程でナットＮに施すことと同じことをボルト頭Baに施す様にしている。
【００２０】
又、図示しないが、上記（１）の工程におけるナットＮの螺嵌又はボルトＢの螺入前に
ボルトＢに外包筒１を、挿通孔２に介在部材３が挿通状態となる様にセットし、（２）の
工程の代わりに外包筒１内に工具を嵌め込んで、ナットＮ又はボルトＢを回し緊締した後
、（３）の工程に進む様にしても良い。
【００２１】
又、図１８に示す様に、蓋体５の中央にネジ孔23を貫設して、閉鎖蓋４を外す際に、ネ
ジ工具Ｔを回転させ閉鎖蓋４のネジ孔23に螺入すると共に、ボルトＢの端面に当接状態と
して更にネジ工具Ｔを回転させれば、外包筒１に対し閉鎖蓋４は回転しないため、閉鎖蓋
４（外嵌筒体4aと蓋体５の両方又は蓋体５だけ）が上方に持ち上げられて外包筒１から外
れる。
【実施例３】
【００２２】
図１２〜１５に示す様に、第３実施例は、閉鎖蓋４を外包筒１の開口部を閉鎖する蓋上
方部位11と、該蓋上方部位11の下部に固設した、ナットＮの収容部12を有する蓋下方部位
13とにより構成し、蓋上方部位11を外包筒１の内周面と近接又は密接させている。
又、蓋下方部位13の下部に下方開口部の内方への係止突片14、14a を設け、他方、収容
部12内に収容されるナットＮの側面に上記係止突片14、14a の通過溝15、15a を形成し、
該通過溝15、15a の下端部より通過溝15、15a に対し直角方向に連結溝16、16a を連続形
成し、該連結溝16、16a の先端部より上方へ係止溝17、17a を連続形成している。又、蓋
下方部位13の収容部12内に圧縮バネ18を設けている。
【００２３】
尚、上記連結溝16、16a にあっては、図１２に示す様に、ダブルナット構造でナットＮ
、Ｎ間に介在部材17を設けることで、上下ナットＮ、Ｎ及び該上下ナットＮ、Ｎ間の介在
部材17により形成した環状溝の一部であったり、或いは図１４に示す様に、通過溝15、15
a をナットＮの側面の中間部位まで形成することでナットＮの側面に形成している。
【００２４】
次に、第３実施例の抜脱防止具の取付け方法について説明する。
（１）被固定部材Ａを貫通させたボルトＢのネジ部Bbに介在部材３を、該介在部材３にお
ける中央孔3a内にネジ部Bbを挿通させて取り付けた後、ネジ部BbにナットＮを螺嵌、緊締
する。
（２）外包筒１の挿通孔２をナットＮに合わせて外包筒１を押し込み、必要であれば外包
筒１をハンマー等により叩打して、ナットＮを、挿通孔２を通過させて外包筒１内に収容
させる。
（３）閉鎖蓋４の蓋下方部位13における係止突片14、14a を、外包筒１内のナットＮにお
ける通過溝15、15a に合わせて閉鎖蓋４を押し込むと、係止突片14、14a がナットＮの通
過溝15、15a を通過して連結溝16、16a に移行し、その後閉鎖蓋４を回転させることで、
同時に蓋下方部位13も回転して、係止突片14、14a がナットＮの連結溝16、16a を通過し
、最終的に係止溝17、17a まで到達した時点で閉鎖蓋４への押圧力を解除すれば、圧縮バ
ネ18の弾性復元力により閉鎖蓋４を押し上げて、係止突片14、14a がナットＮの係止溝17
、17a に係止状態となり、蓋上方部位11で外包筒１の開口部を閉鎖する（図１２、１３参
照）。
【実施例４】
【００２５】
図１６、１７に示す様に、第４実施例は、上記第３実施例と略同一構成であるが、閉鎖
蓋４の蓋上方部位11は、外ケース11a の中央に回動部11b を設けたものとして、該回動部
11b に蓋下方部位13を固設している。
又、蓋上方部位11の外周部下部に固定材20、20a を垂設し、他方、上下ナットＮ、Ｎ間
に、外周部に固定材20、20a の係止部位21、21a を形成した固定板22を設けている。
【００２６】
次に、第４実施例の抜脱防止具の取付け方法について説明する。
（１）被固定部材Ａを貫通させたボルトＢのネジ部Bbに介在部材３を、該介在部材３にお
ける中央孔3a内にネジ部Bbを挿通させて取り付けた後、ネジ部BbにナットＮを螺嵌、緊締
する。
（２）外包筒１の挿通孔２をナットＮに合わせて外包筒１を押し込み、必要であれば外包
筒１をハンマー等により叩打して、ナットＮを、挿通孔２を通過させて外包筒１内に収容
させる。
（３）閉鎖蓋４の蓋下方部位13における係止突片14、14a を、外包筒１内のナットＮにお
ける通過溝15、15a に合わせて閉鎖蓋４を押し込むと、固定材20、20a の下端部が固定板
22の係止部位21、21a を貫通すると共に、係止突片14、14a がナットＮの通過溝15、15a 
を通過して連結溝16、16a に移行し、その後閉鎖蓋４を回転させることで、同時に蓋下方
部位13も回転して、係止突片14、14a がナットＮの連結溝16、16a を通過し、最終的に係
止溝17、17a まで到達した時点で閉鎖蓋４への押圧力を解除すれば、圧縮バネ18の弾性復
元力により閉鎖蓋４が持ち上がって、係止突片14、14a がナットＮの係止溝17、17a に係
止状態となり、蓋上方部位11で外包筒１の開口部を閉鎖する。
【００２７】
上記（３）工程により、閉鎖蓋４の蓋上方部位11は被固定部材Ａ側に、固定材20、20a 
の下端部が固定板22の係止部位21、21a に係止されることで固定状態となるため、蓋下方
部位13は回動部11b により回動することになる。
【００２８】
上記第１〜４実施例における外包筒１の開口部側をキャップ体24で被冠する様にしても
良い。
【００２９】
次に本発明に係るボルトの抜脱防止具の作用について説明する。
装着状態の抜脱防止具における外包筒１にあっては、ボルトＢに対し固定状態ではない
が、外包筒１を引っ張っても、ボルト頭Ba又はナットＮを挿通孔２を通過させることは出
来ず、外包筒１を回転させても閉鎖蓋４は回転しない。
第１、２実施例の抜脱防止具の様に、外包筒１と被固定部材Ａ側は接触状態で閉鎖蓋４
で押さえられていれば、外包筒１と被固定部材Ａ側に隙間が拡がらず、バール等の工具が
入り込まない。
第２実施例の抜脱防止具にあっては、閉鎖蓋４における外嵌筒体4aの組付け時に該外嵌
筒体4aが若干変形するため組付け易い。
【００３０】
図１２〜１７に示す第３、４実施例の抜脱防止具における閉鎖蓋４にあっては、該閉鎖
蓋４における蓋下方部位13の係止突片14、14a がナットＮの係止溝17、17a に係止して該
ナットＮに対し固定状態となるため、外包筒１だけが回転可能になる。
【図面の簡単な説明】
【００３１】
【図１】本発明に係るボルトの抜脱防止具の第１実施例の分解斜視図である。
【図２】外包筒の平面図である。
【図３】図２のＡ−Ａ断面図である。
【図４】外嵌筒体の平面図である。
【図５】図４のＢ−Ｂ断面図である。
【図６】蓋体の底面図である。
【図７】図６のＣ−Ｃ断面図である。
【図８】本発明に係る抜脱防止具の取付状態を示す縦断面図である。
【図９】ボルト頭及びナットに抜脱防止具を取付けた状態を示す縦断面図である。
【図１０】第２実施例の抜脱防止具の取付状態を示す縦断面図である。
【図１１】ナットを保護する工程を示す説明図である。
【図１２】ダブルナットでの第３実施例の抜脱防止具における閉鎖蓋の取付過程を示す縦断面図である。
【図１３】図１３の抜脱防止具における閉鎖蓋の取付過程を示す横断面図である。
【図１４】シングルナットでの第３実施例の抜脱防止具の取付状態を示す縦断面図である。
【図１５】図１４のＤ−Ｄ断面図である。
【図１６】第４実施例の抜脱防止具の取付状態を示す縦断面図である。
【図１７】図１６のＥ−Ｅ断面図である。
【図１８】蓋体にネジ孔を設けた抜脱防止具における閉鎖蓋の取外し過程を示す縦断面図である。
【符号の説明】
【００３２】
１        外包筒
1a        底板部
２        挿通孔
３        介在部材
４        閉鎖蓋
4a        外嵌筒体
５        蓋体
８        ボルト端部の挿通孔
11        蓋上方部位
11a       外ケース
11b       回動部
12        収容部
13        蓋下方部位
14、14a   係止突片
15、15a   通過溝
16、16a   連結溝
17、17a   係止溝
18        圧縮バネ
23        ネジ孔
24        キャップ体
Ｂ        ボルト
Ba        ボルト頭
Bb        ネジ部
Ｎ        ナット
【図１】
2005054993.tif 000003
【図２】
2005054993.tif 000004
【図３】
2005054993.tif 000005
【図４】
2005054993.tif 000006
【図５】
2005054993.tif 000007
【図６】
2005054993.tif 000008
【図７】
2005054993.tif 000009
【図８】
2005054993.tif 000010
【図９】
2005054993.tif 000011
【図１０】
2005054993.tif 000012
【図１１】
2005054993.tif 000013
【図１２】
2005054993.tif 000014
【図１３】
2005054993.tif 000015
【図１４】
2005054993.tif 000016
【図１５】
2005054993.tif 000017
【図１６】
2005054993.tif 000018
【図１７】
2005054993.tif 000019
【図１８】
2005054993.tif 000020